(57)【要約】【課題】手間をかけることなくボトルの飲料を飲用することのできるコップの提供。【解決手段】コップ１は、上面開口２を有する周壁部３と、底面５を有する底部４と、からなる構成を基本構造としている。コップ１の底部４の内周面６（キャップ保持面）には、キャップ１２の複数の滑り止め突条１４と着脱自在に噛合する複数の噛合突条７が、内周面６に周方向に所定間隔で形成されている。内周面６は、装着された状態のキャップ１２の軸心Ｃを中心とする同心円上に形成されており、内周面６の直径は、装着されたキャップ１２の複数の滑り止め突条１４を保持可能にこれらと接する寸法に設定されている。すなわち、底部４の内周面６が、キャップ１２を着脱自在に保持する保持部８となっている。【選択図】図２
0003134085.tif 000002
【実用新案登録請求の範囲】
【請求項１】
コップ内に、ボトルのキャップを着脱自在に保持する保持部が設けられていることを特徴とするコップ。
【請求項２】
保持部のキャップ保持面に、キャップの外周面にキャップ軸心方向に沿って形成されている複数の滑り止め突条と着脱自在に噛合する噛合突条が形成されている請求項１に記載のコップ。
【請求項３】
保持部が、コップ内の底面上に互いに離間して立設された複数の保持用突部で構成されている請求項１または請求項２に記載のコップ。
【考案の詳細な説明】
【技術分野】
【０００１】
本考案は、飲料用のボトルに取り付け・取り外し可能に装着されるコップに関するものである。
【背景技術】
【０００２】
近年、軽くて強い、所謂ペットボトル（ポリエチレンテレフタレート製のボトル）が飲料用ボトルとして汎用され、行楽などに使用されている。この飲料用ボトルでは、ボトル本体の上端部に形成された口部が、キャップでネジ止め封止されるようになっている。斯かる飲料用ボトルに収容された飲料は適量ずつ数回に分けて飲まれることが多く、その都度、キャップが開け閉めされている。このように、キャップを開け閉めすることは面倒であるので、口部を開け放しにしておくことが考えられる。しかしながら、口部が長時間露出していることは、唇の触れる口部に埃や雑菌が付着しやすくなるため衛生的と言い難い。
【０００３】
そこで、ボトル本体の口部に螺着されるベース部と、このベース部に口部を開閉可能に設けられる開閉蓋部と、露出した口部の外周面を覆うように開閉蓋部の外周に形成された出っ張り部分とを備えた飲み口が開発されている。この飲み口は開閉蓋部により簡易的に口部を開閉するようになっており、開閉蓋部により口部が簡易閉止されているときは、口部の唇の触れる部分を出っ張り部分で覆って衛生面を確保するようになっている。このような飲み口付きのペットボトルは下記の特許文献１に記載されている。
【０００４】
【特許文献１】実用新案登録第３１１７０８６号公報
【考案の開示】
【考案が解決しようとする課題】
【０００５】
ところが、上記特許文献１記載の飲み口を用いたとしても、ボルト本体の口部に唇を直接付けて飲まなければならないので、唇に付着していた雑菌がボトル本体内に入って繁殖することは避けられない。そのために、不衛生にならざるを得ないのである。また、このようなラッパ飲みスタイルは、見た目に行儀が悪く会議等の席に相応しくない。
そこで、ボトルとは別個のコップを袋などに入れて持参することが考えられるが、飲用の度にコップまでも出し入れするのは手間がかかりすぎる。
【０００６】
本考案は、上記した従来の問題点に鑑みてなされたものであって、手間をかけることなくボトルの飲料を飲用することのできるコップの提供を目的とする。
【課題を解決するための手段】
【０００７】
上記目的を達成するために、本考案に係るコップは、コップ内に、ボトルのキャップを着脱自在に保持する保持部が設けられた構成にしてある。
【０００８】
また、前記構成において、保持部のキャップ保持面に、キャップの外周面にキャップ軸心方向に沿って形成されている複数の滑り止め突条と着脱自在に噛合する噛合突条が形成されているものである。
【０００９】
そして、前記した各構成において、保持部が、コップ内の底面上に互いに離間して立設された複数の保持用突部で構成されているものである。
【考案の効果】
【００１０】
本考案に係るコップによれば、コップ内の保持部によってボトルのキャップが着脱自在に保持される。従って、別個のコップを持ち合わせる必要がない。そして、コップからボトルを取り外し、キャップをボトルの口部から取り外すことにより、手間をかけることなく付属のコップでボトルの飲料を飲用することができる。その場合に、口部に唇を接触させることなく飲料を飲むことができて衛生的である。そのうえ、ボトルのキャップにコップを保持させるので、コップを取り付けるための構成を市販のボトルに加える必要がない。
【００１１】
また、コップ保持部の噛合突条とキャップ外周面の滑り止め突条とが噛合するものでは、キャップを保持している状態でコップをキャップ軸心回りに回すと、コップに同伴させてキャップをボルトの口部から取り外すことができる。その場合、キャップに手が触れないので、そのまま飲料をコップに注いでも構わない。
【００１２】
そして、互いに離間した複数の保持用突部により保持部を構成するものでは、コップ内の飲料を飲み終える際に、複数の保持用突部に囲まれた底面上の飲料が保持用突部間の離間部分を通って周囲に移動するため、複数の保持用突部に囲まれた底面上に飲料が残ることを防止できる。
【考案を実施するための最良の形態】
【００１３】
本考案の最良の実施形態を図面に基づいて説明する。尚、以下に述べる実施形態は本考案を具体化した一例に過ぎず、本考案の技術的範囲を限定するものでない。図１は本考案の一実施形態に係るコップを天地逆にしてボトルに装着した態様を示す斜視図、図２は前記コップの側断面とボトルの側面を示す図、図３は前記コップの平面図である。
各図において、この実施形態に係るコップ１は、上面開口２を有する周壁部３と、底面５を有する底部４と、からなる構成を基本構造としている。前記の周壁部３は平面視円筒状で下部が縮径して形成されている。底部４は周壁部３の下部から下方に延在して形成されている。
【００１４】
上記のコップ１が装着されるボトル１０は、例えばポリエチレンテレフタレート（ＰＥＴ）などから成るボトル本体１１と、例えばポリプロピレン（ＰＰ）などから成るキャップ１２とから構成された汎用市販品である。ボトル本体１１の外径はコップ１の周壁部３の外径とほぼ同径に設定されている。これにより、ボトル１０およびコップ１の全体形状は円柱状になるので、装填された自動販売機内の商品流通路で引っ掛かったりすることがなく商品流通路内を円滑に流通する。そして、ボトル本体１１の上端部には飲料を出し入れする口部１６が設けられており、口部１６の外周面には雄ネジ部１５が形成されている。雄ネジ部１５はキャップ１２の内周面に形成された雌ネジ部（図示省略）と螺合して、キャップ１２を口部１６に着脱可能に蓋止させるようになっている。キャップ１２の外周面１３には、キャップ１２を指でつかみやすくするための滑り止め突条１４，１４，１４，・・・が多数形成されている。これらの滑り止め突条１４，１４，１４，・・・は、それぞれ、キャップ１２の軸心Ｃ方向に沿っておりキャップ１２の周方向に所定間隔で形成されている。
【００１５】
一方で、コップ１の底部４の内周面６（キャップ保持面）には、前記したキャップ１２の滑り止め突条１４，１４，１４，・・・に着脱自在に噛合する噛合突条７，７，７，・・・が、内周面６に周方向に所定間隔で形成されている。内周面６は、装着された状態のキャップ１２の軸心Ｃを中心とする同心円上に形成されており、内周面６の直径は、装着されたキャップ１２の滑り止め突条１４，１４，１４，・・・を保持可能にこれらと接する寸法に設定されている。すなわち、底部４の内周面６が、ボトル１０のキャップ１２を着脱自在に保持する保持部８となっている。
【００１６】
上記のように構成されたコップ１は、天地逆向きにされた状態で、例えば市販のボトル１０の上部に被せられる。そして、コップ１が押下されてキャップ１２の外周に装着される。このとき、キャップ１２内における滑り止め突条１４，１４，１４，・・・間に、保持部８の噛合突条７，７，７，・・・が入り込んで噛合する。また、キャップ１２は滑り止め突条１４，１４，１４，・・・が底部４の内周面６（保持部８）に密着して保持される。
【００１７】
そこで、飲用に際しては、コップ１をボトル１０から上向きに引き抜くと、ボトル１０のキャップ１２が現れる。そこで、キャップ１２を回して口部１６から取り外したのち、図４に示すように、飲料をコップ１に注いで飲むことができる。すなわち、口部１６に唇を接触させることなく飲料を飲めることから、衛生的である。また、別個のコップを持ち合わせる必要がない。そして、キャップ１２にコップ１を保持させるようになっているので、市販のボトル１０に何ら加工を加えることなくそのまま利用可能である。従って、コップ１を単独で販売したり、ボトル１０にコップ１を装着したものを販売することもできる。
【００１８】
一方で、噛合突条７，７，７，・・・と滑り止め突条１４，１４，１４，・・・とが噛合しているので、キャップ１２を保持している状態でコップ１を周方向に回すと、キャップ１２を口部１６から取り外すことができる。その場合、キャップ１２はコップ１の保持部８に保持されてコップ１に同伴する。この場合、キャップ１２に手が触れることはないので、そのまま飲料をコップ１に注いでも衛生上の問題は生じない。
【００１９】
尚、上記の実施形態では、キャップ１２の滑り止め突条１４，１４，１４，・・・を保持可能にこれらと接する直径（内径）で形成された内周面６を、保持部８として例示した。但し、それに替えて、軸心Ｃを中心とした噛合突条７，７，７，・・・の先端までの半径を、噛合突条７，７，７，・・・がキャップ１２の外周面１３，１３，１３，・・・を保持可能にこれらと接する寸法とし、これらの噛合突条７，７，７，・・・を保持部として適用することも可能である。
【００２０】
また、上記では、キャップ１２の外周面１３の滑り止め突条１４，１４，１４，・・・と噛合する噛合突条７，７，７，・・・を底部４の内周面６に形成したコップ１を例示したが、本考案はそれに限定されるものでない。例えば図５に示すように、底部４内に噛合突条７，７，７，・・・を持たず、一様な曲面である内周面６ａを有するコップ１ａも、本考案に含まれる。
【００２１】
このコップ１ａでは、内周面６ａの内径が、ボトルのキャップの外周部において最大外径（滑り止め突条を有する場合は対向位置にある滑り止め突条の外端間直径であり、滑り止め突条が無く一様な外周曲面である場合はその外周曲面の直径である。）を成す部分を着脱自在に保持可能な寸法に設定されている。すなわち、内周面６ａが保持部８ａを構成する。内周面６ａは、装着されるキャップ１２の軸心Ｃを中心とする同心円上に形成される。このコップ１ａは保持部８ａが一様な曲面という簡素な構成であるから、コップ１（図１〜４参照）と比べて簡単かつ安価に製造できる。尚、コップ１ａをポリプロピレンなどで比較的薄肉に形成しておくと、底部４の外周面を少し強めに掴んで撓めることができる。これにより、噛合突条７が無くても、保持部８ａでキャップ１２の外周部を挟持して共に回すことができ、コップ１ａを装着したままでキャップ１２を口部１６から取り外すことが可能となる。
【００２２】
あるいは、図６に示すようなコップ１ｂも本考案に含まれる。このコップ１ｂでは、底面５、および底面５の周囲を囲む底面５ａが同一平面上にあり、周壁部３ａが上面開口２から底面５，５ａまでほぼ同径の円筒状に形成され、筒突部２０が底面５を囲むように平面中央部分に立設されている。筒突部２０の内周面６ａは、既述したコップ１ａ（図５参照）の内周面６ａと同様に、装着されたキャップ１２の軸心Ｃを中心とする同心円上に形成されている。これにより、内周面６ａが、キャップ１２を着脱自在に保持する保持部８ａを構成する。このコップ１ｂは、保持部８ａの周囲に底面５ａ上の空間があることから、コップ１（図１〜４参照）やコップ１ａ（図５参照）と比べて大量の飲料を収容して飲むことができる。また、コップ１ｂを装着したボトル１０はほぼ円筒形状になることからシンプルな全体形状となり、自動販売機用としてよりいっそう好適になる。
【００２３】
そして、前記のコップ１ｂでは円筒状の筒突部２０を設けた例を示したが、例えば図７に示すように、コップ１ｂにおける筒突部２０を部分的に切り欠いて４つの開口部２２，２２，２２，２２を形成したコップ１ｃも本考案に含まれる。このコップ１ｃでは、円弧状の４つの保持用突部２１，２１，２１，２１が立設されている。これらの保持用突部２１，２１，２１，２１は互いに離間しており、隣り合う保持用突部２１，２１間は、それぞれが、保持用突部２１，２１，２１，２１に囲まれた底面５の上方空間と、保持用突部２１，２１，２１，２１周囲の底面５ａの上方空間とを連通する、開口部２２になっている。前記の底面５と底面５ａとは同一平面上にある。そして、保持用突部２１，２１，２１，２１の内周面６ｂ，６ｂ，６ｂ，６ｂは、装着されたキャップ１２の軸心Ｃを中心とする円の円周上に形成されており、これらの内周面６ｂ，６ｂ，６ｂ，６ｂにより保持部８ｂ，８ｂ，８ｂ，８ｂが構成される。
【００２４】
このコップ１ｃでは、保持用突部２１，２１間に開口部２２があることから、コップ１ｂ内の飲料を飲み終える際に、保持用突部２１，２１，２１，２１に囲まれた底面５上の飲料はいずれかの開口部２２を通って周囲の底面５ａ上に移動するため、飲料が底面５上に残ることを防ぐことができる。従って、前記したコップ１ｂのように飲料が筒突部２０内に残ってしまったり、あるいは筒突部２０内に一時的に残った飲料が筒突部２０から一気に飛び出して鼻などにかかってしまうという不具合を生じない。無論、このコップ１ｃは、コップ１ｂ（図６参照）と同様に、保持部８ｂの周囲に底面５ａ上の空間があることから、大量の飲料を収容して飲用することができる。また、コップ１ｂを装着したボトル１０はほぼ円筒のシンプルな全体形状となり自動販売機に適する。
【００２５】
尚、上記した保持用突部２１，２１，２１，２１の各内周面６ｂに、図１〜図３で示したような噛合突条７，７，７，・・・を設けて、キャップ１２の滑り止め突条１４，１４，１４，・・・と噛合させるようにしても構わない。
また、上記では４つの保持用突部２１，２１，２１，２１を設けた例を示したが、本考案はそれに限定されず、例えばコップ内の底面上に２つまたは３つ、あるいは５つ以上の保持用突部を互いに離間して立設したものでもよい。
【図面の簡単な説明】
【００２６】
【図１】本考案の一実施形態に係るコップを天地逆にしてボトルに装着した態様を示す斜視図である。
【図２】前記コップの側断面とボトルの側面を示す図である。
【図３】前記コップの平面図である。
【図４】前記コップにボトルから飲料を注ぐ態様を示す説明図である。
【図５】本考案の別の実施形態に係るコップの平面図である。
【図６】本考案の更に別の実施形態に係るコップを示し、（ａ）はコップの平面図、（ｂ）は天地逆にしたコップの側断面とボトルの側面を示す図である。
【図７】本考案の他の実施形態に係るコップを示し、（ａ）はコップの平面図、（ｂ）は天地逆にしたコップの（ａ）におけるＡ−Ａ線矢示断面とボトルの側面を示す図である。
【符号の説明】
【００２７】
１，１ａ，１ｂ，１ｃ  コップ
２    上面開口
３，３ａ  周壁部
４    底部
５，５ａ  底面
６，６ａ，６ｂ  内周面
７    噛合突条
８，８ａ，８ｂ  保持部
１０  ボトル
１１  ボトル本体
１２  キャップ
１３  外周面
１４  滑り止め突条
１５  雄ネジ部
１６  口部
２０  筒突部
２１  保持用突部
２２  開口部
Ｃ    軸心
【図１】
0003134085.tif 000003
【図２】
0003134085.tif 000004
【図３】
0003134085.tif 000005
【図４】
0003134085.tif 000006
【図５】
0003134085.tif 000007
【図６】
0003134085.tif 000008
【図７】
0003134085.tif 000009